(57)【要約】【課題】ワイヤロープの着脱が迅速容易にでき、一旦ワイヤロープを装着すると、勝手に外れることがなく、製作容易で、構造簡単なレール取卸しに使用するワイヤーロープ接続金具を提供する。【解決手段】レール３０の頭部３０１及び腹部３０２を僅かな間隙を隔てて外嵌できるようにしたレール嵌合部分１１と、前記レール嵌合部分１１の前部の上方に取り付けられたワイヤーロープ引掛け部１２と、ワイヤーロープ引掛け部１２に連設されて、ワイヤーロープ４０を引掛けると開いて自動的に閉じるストッパー板１３とを備えたもの。【選択図】    図１
2005015087.tif 000002
【特許請求の範囲】
【請求項１】
レール３０の頭部３０１及び腹部３０２を僅かな間隙を隔てて外嵌できるようにしたレール嵌合部分１１と、前記レール嵌合部分１１の前部の上方に取り付けられたワイヤーロープ引掛け部１２と、ワイヤーロープ引掛け部１２に連設されて、ワイヤーロープ４０を引掛けると開いて自動的に閉じるストッパー板１３とを備えたレール取卸しに使用するワイヤーロープ接続金具。
【発明の詳細な説明】
【０００１】
【発明の属する技術分野】
本発明は、鉄道用長尺レール（長さ２５ｍのレールを溶接してつないだ１本概ね１５０ｍ〜２００ｍのレール）を、１６〜２０本積載し、機関車でけん引されて、軌道上を低速（概ね５ｋ／ｈ以下）で走行するレール運搬車（通常、チキ車と呼ばれるもの）から連続して、軌道敷上にレールを取り卸すために使用されるワイヤロープ接続金具に関する。
【０００２】
【従来の技術】
長尺レール３１、３２をレール運搬車（図示しない、以下同じ）に積載中は、図５及び図７に示すように、先行レール３１の後端にレールキャップ１２の嵌合部分が予め嵌合されているが、引き出しながら取り卸すためには、先行レール３１と後行レール３２とを、図５に示すように、ワイヤロープ接続金具１、１を介してワイヤロープ４０で結合して、レール運搬車を走行させながら、先行レール３１を軌道上に引き出してゆけば、図６及び図８に示すように、先行レール３１と後行レール３２とは、レールキャップ１２のひさし部分１１を介して自動的に接続される。
しかしながら、従来の接続金具１、１でレール３１を取り卸す場合、図７に示すように、右側へレール３１を引き出している時に、途中で列車が停止又は減速すると一旦引っかけたワイヤロープ４０が、レール３１又は３２から勝手に外れる恐れがあり、そのため、接続金具１、１にワイヤロープ４０を引掛けたのち、図９に示すように、接続金具１又は１にピン穴２及び３を介してピン４を螺合する対策も立てられたが、ワイヤロープ４０をワイヤロープ通し穴５に通すための作業時間が長くかかる、貨車の走行中にピン４が抜け落ちることがある、また、ピン４を紛失しやすいなどの欠点があった。
そこで、本発明者は、先行レールの接続金具と後行レールの接続金具に、それぞれ、一度ワイヤロープを装着すると勝手に外れることがなく、また、ワイヤロープを迅速容易に着脱できる装置を開発することに成功した。
【０００３】
【発明が解決しようとする課題】
本発明は、ワイヤロープの着脱が迅速容易にでき、一旦ワイヤロープを装着すると、勝手に外れることがないレール取卸しに使用するワイヤーロープ接続金具を提供するものである。
また、本発明は、製作容易で、構造簡単なレール取卸しに使用するワイヤーロープ接続金具を提供するものである。
【０００４】
【課題を解決するための手段】
本発明ワイヤロープ接続金具は、上記課題を達成するため、図示するように、レール３０の頭部３０１及び腹部３０２を僅かな間隙を隔てて外嵌できるようにしたレール嵌合部分１１と、前記レール嵌合部分１１の前部の上方に取り付けられたワイヤーロープ引掛け部１２と、ワイヤーロープ引掛け部１２に連設されて、ワイヤーロープ４０を引掛けると開いて自動的に閉じるストッパー板１３とを備えたものである。
本発明において、レール嵌合部分１１は、図３及び図４に示すように、レール頭部３０１及び腹部３０１を僅かな間隙を隔てて外嵌できるように、下方に開いたコ字状に形成されている。
また、本発明において、ワイヤロープ引掛け部１２は、図１乃至図４に示すように、接続金具本体１０の両側板１１１、１１１の前部上端に設けられ、ワイヤロープ４０を引掛けて引っ張ることができるように形成されている。
さらに、本発明において、ストッパ板１３は、ほぼＬ字状の板状物で、ワイヤロープ４０がワイヤーロープ引掛け部１２に引掛けられる際に開いて、自動的にワイヤロープ４０が外れることなく閉じるように装置されるものである。
【０００５】
【発明の実施の形態】
本発明の実施の形態が図１乃至図４に示されている。
本発明ワイヤロープ接続金具は、レール嵌合部分１１を備えた接続金具本体１０と、レール嵌合部分１１の上部に連設した引掛け部１２と、引掛け部１２の後部に連設したストッパ板部１３とを備えている。
接続金具本体１０のレール嵌合部分１１は、レール３０の頭部３０１及び腹部３０２を僅かな間隙を隔てて外嵌するもので、その上部に側板１１１、１１１が連設されている。
引掛け部１２は、一対の側板１１１、１１１の上部に連設され、ワイヤロープ４０を引掛けて引っ張ることができるように形成されたものである。
ストッパ板部１３は、ほぼＬ字形板１３０１と、板１３０１のほぼ中間に連設した回動筒１３０２とからなり、板１３０１及び回動筒１３０２は両側板１１１、１１１の間に収納され、また、回動筒１３０２が両側板１１１、１１１に軸着した回動軸１３１に回動可能に嵌合されている。
板１３０１は、引掛け部１２方向に押されると回動して引掛け部１２を開口したのち、自重で元の位置に復帰する。
従って、レール３０を引き出しながら取り卸す際は、レール３０に外嵌した接続金具本体１０の引掛け部１２に向かって、ワイヤロープ４０を当接するとストッパ板１３の上端１３１が下降し、ワイヤロープ４０が自由に通過し、ワイヤロープ４０を引掛け部１２に引掛けて引っ張られるようにした後は、ストッパ板１３は下半分の自重により回動し、下端は係止板１３２に係止されて停止する。
ストッパ板１３の上端１３１が上昇し引掛け部１２の開口部１２０が閉止されると、列車が停止又は減速されて、ワイヤロープ４０が引張り部２０と反対方向に移動しても、ワイヤロープ４０が勝手に外れることなく、レール３０の取り卸しを行うことができる。
レール３０の取り卸し後、ワイヤロープ４０の取り外しは、ストッパ板１３の下半分を、ストッパ軸１３１を介し、図１において反時計回りに回動させて、ストッパ板１３の上端を下降させて開き、ワイヤロープ４０を引掛け部１２から外せばよい。
【０００６】
【発明の効果】
本発明によれば、長尺レール取り卸しのため、ワイヤロープを引掛け部に引っ掛ける際は、ストッパ板に手を触れることなく迅速容易に装着でき、装着後は自動的にストッパ板が閉止されてワイヤロープが外れることがなく、レール取り卸し作業が安全、確実に連続的に行えることとなった。
【図面の簡単な説明】
【図１】本発明の実施の形態を示す正面図である。
【図２】図１の平面図である。
【図３】図１の左側面図である。
【図４】図１の右側面図である。
【図５】レール取卸しのときの従来のワイヤーロープ接続金具の説明図である。
【図６】レールを接続したときの従来のワイヤーロープ接続金具の説明図である。
【図７】図５を上面から見たときの説明図である。
【図８】図６を上面から見たときの説明図である。
【図９】従来のワイヤーロープ接続金具の別の説明図である。
【符号の説明】
１１      レール嵌合部分
１２      ワイヤーロープ引掛け部
１３      ストッパ板
３０      レール
３０１    レール頭部
３０２    レール腹部
４０      ワイヤーロープ
【図１】
2005015087.tif 000003
【図２】
2005015087.tif 000004
【図３】
2005015087.tif 000005
【図４】
2005015087.tif 000006
【図５】
2005015087.tif 000007
【図６】
2005015087.tif 000008
【図７】
2005015087.tif 000009
【図８】
2005015087.tif 000010
【図９】
2005015087.tif 000011